(57)【要約】【課題】本考案は、陸橋、塀、ルーバー等の建築の際、使用済みの廃木材と廃プラスチックを原料として中空成形加工した再生プラスチックの柱と格子部品を継ぐ建築用継手金具を提供する。【解決手段】本考案の建築用継手金具は、角筒体の支柱Ｍの側面に固定される凹継手金具１と、円筒体の横桟Ｎの先端に固定される凸継手金具２との組合せからなり、前記凹継手金具１と前記凸継手金具２とを左右方向又は上下方向に凹凸嵌合し、両者を連結ボルト３で連結して前記支柱Ｍと前記横桟Ｎを垂直・水平・斜め自在に組合せて固定するものである。【選択図】図１
0003127551.tif 000002
【実用新案登録請求の範囲】
【請求項１】
凹継手金具と凸継手金具とを組み合わせてなる建築用継手金具において、前記凹継手金具は金属材料から一体に形成され、所定厚さの矩形状の基部面と、該基部面の上部に水平に連結され、先端を円弧状とした平板状の上部面及び該上部面と向き合うように前記基部面の下部に水平に連結され、先端を円弧状とした平板状の下部面からコ字状に構成され、前記基部面は、中央部に継手ボルトの軸部が貫通する貫通孔と、該貫通孔のコ字状内側に継手ボルトの頭部が嵌合する嵌合凹部が前記貫通孔と一体に形成され、前記上部面は、円弧状側に連結ボルトの軸部が上下に貫通する上部貫通孔と、上面側に連結ボルトの頭部が嵌合するボルト嵌合凹部が前記上部貫通孔と一体に形成され、前記下部面は、円弧状側に連結ボルトの軸部が上下に貫通する下部貫通孔と、下面側に連結ボルト先端に螺合されるワッシャ、ナットが嵌合するナット嵌合凹部が前記下部貫通孔と一体に形成され、一方前記凸継手金具は金属材料から一体に形成され、前記凹継手金具の上部面と下部面との間に挿入され、先端を円弧状に形成した平板状の嵌合凸部と、該嵌合凸部の円弧状位置に前記凹継手金具の前記上部貫通孔と前記下部貫通孔と間に上下に連通するように設けた中央貫通孔と、前記嵌合凸部の基部に円筒状の横桟の外径に一致する円盤状の鍔板と、前記嵌合凸部の反対側に前記鍔板を挟んで突設し、前記横桟の内径に嵌合する円筒状の円筒ボスとから構成されることを特徴とする建築用継手金具。
【請求項２】
前記凹継手金具を支柱の側面に固定し、前記凸継手金具を横桟の先端部に固定し、前記凹継手金具と前記凸継手金具とを嵌合することにより、支柱に横桟を垂直・水平・斜め自在に組合せることができることを特徴とする請求項１記載の建築用継手金具。
【考案の詳細な説明】
【技術分野】
【０００１】
本考案は、陸橋、塀、ルーバー等の建築の際、柱と格子部品を継ぐ建築用継手金具に関する。
【背景技術】
【０００２】
従来、公園等において、遊歩道や歩道橋に安全柵としての防護柵（フェンス）が一般的に設けられている。
この従来技術を改良し、支柱とパネルとの連結をきわめて簡単にかつ確実に行えるようにしたフェンスの支柱・パネル継手構造が知られている（特許文献１を参照）。
この公知技術は、支柱と格子パネルに継手金具と継手金具をそれぞれ突設し、当該継手金具の双方に継手ボルトの軸部が貫通するボルト貫通孔を、一方に継手ボルトのボルト頭部が回転を阻止された状態で嵌合する嵌合凹部をボルト貫通孔に連通して設け、継手ボルトの軸部をボルト貫通孔に貫通し、ボルト頭部を嵌合凹部に嵌合し、かつ継手ボルトの軸部先端のねじ部に継手ナットを螺合して支柱と格子パネルを連結するものである。
【特許文献１】特開２００４−３００７５２号公報
【考案の開示】
【考案が解決しようとする課題】
【０００３】
本考案は、陸橋、塀、ルーバー等の建築の際、使用済みの廃木材と廃プラスチックを原料として中空成形加工した再生プラスチックの柱と格子部品を継ぐ建築用継手金具を提供することを目的とする。
【課題を解決するための手段】
【０００４】
本考案の建築用継手金具は、凹継手金具と凸継手金具とを組み合わせてなる建築用継手金具において、前記凹継手金具は金属材料から一体に形成され、所定厚さの矩形状の基部面と、該基部面の上部に水平に連結され、先端を円弧状とした平板状の上部面及び該上部面と向き合うように前記基部面の下部に水平に連結され、先端を円弧状とした平板状の下部面からコ字状に構成され、前記基部面は、中央部に継手ボルトの軸部が貫通する貫通孔と、該貫通孔のコ字状内側に継手ボルトの頭部が嵌合する嵌合凹部が前記貫通孔と一体に形成され、前記上部面は、円弧状側に連結ボルトの軸部が上下に貫通する上部貫通孔と、上面側に連結ボルトの頭部が嵌合するボルト嵌合凹部が前記上部貫通孔と一体に形成され、前記下部面は、円弧状側に連結ボルトの軸部が上下に貫通する下部貫通孔と、下面側に連結ボルト先端に螺合されるワッシャ、ナットが嵌合するナット嵌合凹部が前記下部貫通孔と一体に形成され、一方前記凸継手金具は金属材料から一体に形成され、前記凹継手金具の上部面と下部面との間に挿入され、先端を円弧状に形成した平板状の嵌合凸部と、該嵌合凸部の円弧状位置に前記凹継手金具の前記上部貫通孔と前記下部貫通孔と間に上下に連通するように設けた中央貫通孔と、前記嵌合凸部の基部に円筒状の横桟の外径に一致する円盤状の鍔板と、前記嵌合凸部の反対側に前記鍔板を挟んで突設し、前記横桟の内径に嵌合する円筒状の円筒ボスとから構成されるものである。
前記凹継手金具を支柱の側面に固定し、前記凸継手金具を横桟の先端部に固定し、前記凹継手金具と前記凸継手金具とを嵌合することにより、支柱に横桟を垂直・水平・斜め自在に組合せることができるものである。
【考案の効果】
【０００５】
本考案の建築用継手金具は、前記凹継手金具を支柱の側面に固定し、前記凸継手金具を格子部品の先端部に固定し、凹継手金具と凸継手金具とを凹凸嵌合することにより、柱と格子部品を水平・垂直・斜め自在に組み立てることができる効果がある。
【考案を実施するための最良の形態】
【０００６】
本考案の建築用継手金具の一実施例を添付図面に基づいて、以下に説明する。
図１の一部拡大正面図に示すように、本考案の建築用継手金具は、角筒体の支柱Ｍの側面に固定される凹継手金具１と、円筒体の横桟Ｎの先端に固定される凸継手金具２との組合せからなり、前記凹継手金具１と前記凸継手金具２とを左右方向に凹凸嵌合し、両者を連結ボルト３で連結して前記支柱Ｍと前記横桟Ｎを垂直・水平に組合せて固定するものである。
図２の一部拡大正面図に示すように、本考案の建築用継手金具は、角筒体の支柱Ｍの側面に固定される凹継手金具１と、円筒体の横桟Ｎの先端に固定される凸継手金具２との組合せからなり、前記凹継手金具１と前記凸継手金具２とを上下方向に凹凸嵌合し、両者を連結ボルト３で連結して前記支柱Ｍと前記横桟Ｎを垂直・斜めに組合せて固定するものである。
前記支柱Ｍ及び横桟Ｎは、再生プラスチックの中空成形品からなり、使用済みの廃木材と廃プラスチックを粉砕し、粉砕した廃木材と廃プラスチックと副資材を５５％：４０％：５％の割合で混合し、顔料を加えてペレット状に加工し、該ペレットに熱を加え、金型を通して押し出し成形加工した再生プラスチックである。
なお、本実施例では再生プラスチックを利用したが、これに限らず、天然木材を利用することも可能である。
【０００７】
前記凹継手金具１は、図３の斜視図に示すように、金属材料からコ字状に一体に形成され、所定厚さの矩形状の基部面４と、該基部面４の上部に水平に連結され、先端を円弧状とした平板状の上部面５及び該上部面５と向き合うように前記基部面４の下端に水平に連結され、先端を円弧状とした平板状の下部面６から構成される。
図４の縦断面図に示すように、前記基部面４は、中央部に継手ボルト（図示せず）の軸部が貫通する貫通孔７と、該貫通孔７のコ字状内側方向に継手ボルト（図示せず）の頭部が嵌合する嵌合凹部８が前記貫通孔７と一体に形成される。
また、前記貫通孔７のコ字状外側方向に前記継手ボルト（図示せず）の回動を制止する回動防止溝２６が前記貫通孔７と一体に形成され、前記支柱Ｍの側面に取付けた凸形ボルト（図示せず）を前記回動防止溝２６に嵌合させることにより前記凹継手金具１の回転を防止することができる。
前記上部面５は、円弧状側に連結ボルト３の軸部が上下に貫通する上部貫通孔９と、上面側に連結ボルト３の頭部が嵌合するボルト嵌合凹部１０が前記上部貫通孔９と一体に形成される。
前記下部面６は、円弧状側に連結ボルト３の軸部が上下に貫通する下部貫通孔１１と、下面側に連結ボルト３先端に螺合されるワッシャ、ナットが嵌合するナット嵌合凹部１２が前記下部貫通孔１１と一体に形成される。
さらに、前記上部面５のボルト嵌合凹部１０近傍には、頭無しボルト１３を螺合する上下に貫通する固定用ネジ穴１４を形成する。
【０００８】
前記凸継手金具２は、図５の斜視図に示すように、金属材料から一体に形成され、前記凹継手金具１の上部面５と下部面６との間に挿入され、先端を円弧状に形成した平板状の嵌合凸部１５と、前記嵌合凸部１５の円弧状位置に前記凹継手金具１の前記上部貫通孔９及び前記下部貫通孔１１と上下に連通するように設けた中央貫通孔１６と、前記嵌合凸部１５の基部に前記横桟Ｎの外径に一致する円盤状の鍔板１７と、前記嵌合凸部１５の反対側に前記鍔板１７を挟んで突設し、前記横桟Ｎの内径に嵌合する円筒状の円筒ボス１８とから構成される。
前記円筒ボス１８は、外周に等間隔をあけて軸線方向に所定幅の突条をなす補強突条１９を複数配設する。
【０００９】
次に、本考案の建築用継手金具の操作動作を添付図面に基づいて、以下に説明する。
本考案の建築用継手金具は、公園等における遊歩道や歩道橋の防護柵に使用される場合を説明する。
図１に示すように、前記凹継手金具１と前記凸継手金具２とを左右方向に凹凸嵌合し、両者を連結ボルト３で連結して前記支柱Ｍと前記横桟Ｎを垂直・水平に組合せて固定する。
予め、再生プラスチックの支柱Ｍには横桟Ｎが取付けられる位置、すなわち図６に示す継手ボルト２０が貫通する複数個所に取付孔（図示せず）を設け、前記取付孔（図示せず）が開けられた支柱Ｍを公園等の遊歩道や歩道橋が設けられる設置場所へ所定間隔を開けて多数本を立設する。
なお、再生プラスチックの支柱Ｍ及び横桟Ｎは衝撃力及び撓み力に弱いので、図７の横断面図に示すように、前記支柱Ｍの内部には金属製の補強金属枠２１を内接して補強し、前記取付孔（図示せず）と同位置にはボルト穴（図示せず）を開けて前記継手ボルト２０が貫通するように設け、一方前記横桟Ｎの内部には金属製の補強金属パイプ２２を内接して補強する。
そして、図６の縦断面図に示すように、前記凹継手金具１の中央貫通孔１６に継手ボルト２０を貫通し、さらに前記継手ボルト２０を支柱Ｍの取付孔（図示せず）に挿入し、図７の横断面図に示すように、前記凹継手金具１の反対側の支柱Ｍで前記継手ボルト２０にナット２３を螺合して前記凹継手金具１を支柱Ｍに固定する。
防護柵の始端及び終端は図７に示すように組み立てるが、中間部分は図８の横断面図に示すように、前記継手ボルト２０の先端に別に用意した前記凹継手金具１の中央貫通孔１６を挿入しナット２３を螺合して前記凹継手金具１を固定する。
公園等の遊歩道や歩道橋に所定間隔を開けて立設された全ての支柱Ｍにおいて同様の作業を行い、全ての支柱Ｍには多数個の前記凹継手金具１が取り付け固定される。
【００１０】
そして、補強金属パイプ２２を補強した横桟Ｎの両端に前記凸継手金具２の円筒ボス１８を挿入し、両端に凸継手金具２を取付けた横桟Ｎを多数用意する。
前記凸継手金具２を備えた横桟Ｎを公園等の遊歩道や歩道橋に所定間隔を開けて立設された前記支柱Ｍと前記支柱Ｍとの間に架設し、前記凸継手金具２の嵌合凸部１５を前記凹継手金具１の上部面５と下部面６との間に挿入し、それぞれの上部貫通孔９、中央貫通孔１６、下部貫通孔１１を一致させる。
そして、図９の分解斜視図に示すように、上方から連結ボルト３を前記一致させた上部貫通孔９、中央貫通孔１６、下部貫通孔１１に挿通し、前記連結ボルト３先端にワッシャ２４を介してナット２５を螺合して締め付け固定する。
その際、前記連結ボルト３を支点にして前記凸継手金具２を図１０の平面図に示すように（ａ）→（ｂ）へ回動させて、所定角度を付けた状態で前記凸継手金具２にナットを締め付けて固定することができる。
前記横桟Ｎの取付位置が決まったら、さらに前記上部面５のボルト嵌合凹部１０近傍に設けた固定用ネジ穴１４に頭無しボルト１３を螺合して前記凸継手金具２の回動を完全に防止する。
また、前記上部貫通孔９及び下部貫通孔１１には、ボルト嵌合凹部１０及びナット嵌合凹部１２がそれぞれ形成されているので、連結ボルト３の頭部及びナット２５が前記上部面５及び下部面６から突出することはない。
同様の操作を全ての支柱Ｍ及び横桟Ｎに行うことにより、遊歩道や歩道橋に防護柵（フェンス）が形成される。
さらに、図２に示すように、前記凹継手金具１と前記凸継手金具２とを上下方向に凹凸嵌合し、両者を連結ボルト３で連結して前記支柱Ｍと前記横桟Ｎを垂直・斜めに組合せて固定することもできる。
【図面の簡単な説明】
【００１１】
【図１】本考案の建築用継手金具を左右嵌合状態の一部拡大正面図である。
【図２】本考案の建築用継手金具を上下嵌合状態の一部拡大正面図である。
【図３】凹継手金具の斜視図である。
【図４】凹継手金具の縦断面図である。
【図５】凸継手金具の斜視図である。
【図６】凸継手金具の縦断面図である。
【図７】本考案の建築用継手金具の始端及び終端の使用状態を示す横断面図である。
【図８】本考案の建築用継手金具の中間部分の使用状態を示す横断面図である。
【図９】本考案の建築用継手金具の分解斜視図である。
【図１０】本考案の建築用継手金具の角度調整を示す平面図である。
【符号の説明】
【００１２】
１  凹継手金具
２  凸継手金具
３  連結ボルト
４  基部面
５  上部面
６  下部面
７  貫通孔
８  嵌合凹部
９  上部貫通孔
１０  ボルト嵌合凹部
１１  下部貫通孔
１２  ナット嵌合凹部
１３  頭無しボルト
１４  固定用ネジ穴
１５  嵌合凸部
１６  中央貫通孔
１７  鍔板
１８  円筒ボス
１９  補強突条
２０  継手ボルト
２１  補強金属枠
２２  補強金属パイプ
２３  ナット
２４  ワッシャ
２５  ナット
２６  回動防止溝
【図１】
0003127551.tif 000003
【図２】
0003127551.tif 000004
【図３】
0003127551.tif 000005
【図４】
0003127551.tif 000006
【図５】
0003127551.tif 000007
【図６】
0003127551.tif 000008
【図７】
0003127551.tif 000009
【図８】
0003127551.tif 000010
【図９】
0003127551.tif 000011
【図１０】
0003127551.tif 000012